(57)【要約】【課題】見栄えが良く、パウチからの尿の排出も簡易で、かつ身体の皮膚が炎症等を起こすおそれもない。【解決手段】皮膚接着部５２とパウチ５１を備えるストーマ装具を保持できるようにしたオストメイト用パンツ１であって、皮膚接着部５２の外径に略等しい内径の開口１２をパンツ１の所定部に設けるとともに、開口１２を一部で覆うようにパンツ１の外表面１ａにカバー体２を止着して外表面１ａとカバー体２とで袋部Ｂを形成する。カバー体２は皮膚接着部５２から垂下するパウチ５１の外形に略等しい形状でかつその上縁２２、側縁２３および下縁２４がファスナによって外表面１ａから離脱可能としてある。【選択図】　　　　図１
2004000437.tif 000002
【特許請求の範囲】
【請求項１】
皮膚接着部とパウチを備えるストーマ装具を保持できるようにしたオストメイト用身体着であって、前記身体着の所定部に開口を設けるとともに、前記開口を一部で覆うように前記身体着の外表面にカバー体を止着して前記外表面と前記カバー体とで袋部を形成し、かつ前記カバー体は前記皮膚接着部から垂下する前記パウチの外形に略等しい形状でかつ少なくともその一部が前記外表面から離脱可能としてあることを特徴とするオストメイト用身体着。
【請求項２】
前記開口の内径を、前記皮膚接着部の外径に略等しくした請求項１に記載のオストメイト用身体着。
【請求項３】
前記カバー体の素材を身体着と同質のもので構成した請求項１又は２に記載のオストメイト用身体着。
【請求項４】
前記カバー体の一方の側縁を除いて、他方の側縁と上縁及び下縁を前記外表面から離脱可能とした請求項１ないし３のいずれかに記載のオストメイト用身体着。
【請求項５】
前記カバー体の上縁を除いて、両側縁と下縁を前記外表面から離脱可能とした請求項１ないし３のいずれかに記載のオストメイト用身体着。
【発明の詳細な説明】
【０００１】
【発明の属する技術分野】
本発明はオストメイト用身体着に関し、特に、そのストーマ装具保持構造の改良に関する。
【０００２】
【従来の技術】
図８に従来のオストメイト用身体着としてパンツの一例を示す。図は下着用のパンツ１´であり、パンツ１´の前身頃には左右位置にそれぞれポケット６が設けてある。各ポケット６の上方には一定長の横長開口７が設けられて仮縫い状態で閉じられている。このようなパンツ１´でストーマ装具を保持する場合には、身体のストーマの位置に応じて左右いずれかの開口７の仮縫いを切断して（図９は右側開口７の仮縫いを切断した例を示す）、ストーマ装具５の、ストーマに接着した皮膚接着部５２から一体に延びるパウチ５を、開口７を経てパンツ１´外へ引き出してポケット６内へ収納する。
【０００３】
【発明が解決しようとする課題】
しかし、上記従来のパンツ１´では、パウチ５１の上部がパンツ１外へ露出するために見栄えが悪いとともに、パウチ５１内に溜まった尿をパウチ下端部から排出する際にその都度、パウチ５１全体をポケット６外へ取り出さなければならないという煩雑さがあった。また、就寝時にはパウチ下端部を就寝用蓄尿袋のホースと接続する必要があるが、この場合には就寝中に常にパウチ５１全体をポケット６外へ出しておかなければならない。また、開口７の大きさが皮膚接着部５２の外径よりもかなり大きいため、皮膚接着部５２周囲のパウチ５１裏面が身体の皮膚に直接触れて炎症等の原因になるという問題もあった。
【０００４】
そこで、本発明はこのような課題を解決するもので、見栄えが良く、パウチからの排泄物の排出も簡易で、かつ身体の皮膚の炎症等のおそれもないオストメイト用身体着を提供することを目的とする。
【０００５】
【課題を解決するための手段】
上記目的を達成するために、本第１発明では、皮膚接着部（５２）とパウチ（５１）を備えるストーマ装具（５）を保持できるようにしたオストメイト用身体着（１）であって、開口（１２）を身体着（１）の所定部に設けるとともに、開口（１２）を一部で覆うように身体着（１）の外表面（１ａ）にカバー体（２）を止着して外表面（１ａ）とカバー体（２）とで袋部（Ｂ）を形成し、かつカバー体（２）は皮膚接着部（５２）から垂下するパウチ（５１）の外形に略等しい形状でかつ少なくともその一部（２４）が外表面（１ａ）から離脱可能としてある。ここで身体着とは身体に直接着ける衣類等をいう。なお、上記開口（１２）はその内径を皮膚接着部（５２）の外径に略等しいものとするのが良い。
【０００６】
本第１発明において、身体のストーマにストーマ装具の皮膚接着部を接着した状態で身体着を身につけ、開口から身体着の外へパウチを引き出す。開口から引き出されたパウチは、これとほぼ同形のカバー体によって形成された袋部内に収容されて、外部から遮蔽され、身体着の外へ露出しないから見栄えが良い。パウチ内に溜まった排泄物を排出する場合には、カバー体の一部を身体着の外表面から離脱させて開き、ここからパウチの下端部を引き出して排泄物を排出させる。これにより、パウチ全体を引き出すことなく排泄物の排出を簡易に行うことができる。開口の内径をほぼ皮膚接着部の外径に等しくしておくと、開口内に位置させた皮膚接着部の外周には、殆ど隙を生じることなく身体着の素材が接する。これにより、身体に直接触れるのは皮膚保護剤が塗布された皮膚接着部と身体着のみになり、パウチが触れることはないから、身体の皮膚に炎症等を生じることがない。
【０００７】
本第２発明では、上記カバー体（２）の素材を身体着（１）と同質のもので構成する。この「同質」とは、身体着の素材に対して調和のとれたものであれば良く、身体着の素材と同様のもので伸縮性を有するものを含む。第２発明においては、カバー体の素材を身体着と同質としたから、身体着に設けたカバー体が違和感を生じず、身体着の意匠性を損なうことがない。
【０００８】
本第３発明では、上記カバー体（２）の一方の側縁（２１）を除いて、他方の側縁（２３）と上縁（２２）及び下縁（２４）を外表面（１ａ）から離脱可能とする。本第３発明においては、開口からパウチを引き出す際に、カバー体の側縁と上縁及び下縁を身体着の外表面から離脱させて大きく開くことができるから、パウチを身体着外へ引き出す作業をより容易に行なうことができる。
【０００９】
本第４発明では、上記カバー体（２）の上縁（２２）を除いて、両側縁（２１，２３）と下縁（２４）を外表面（１ａ）から離脱可能とする。本第４発明においては、本第３発明の作用効果に加えて、上縁を支点にして上方へ開放したカバー体の先端部をパンツのゴム帯等に挟み込んで、カバー体を確実に係止することができる。
【００１０】
なお、上記カッコ内の符号は、後述する実施形態に記載の具体的手段との対応関係を示すものである。
【００１１】
【発明の実施の形態】
（第１実施形態）
図１にオストメイト用身体着として下着用パンツの一例を示す。図において、パンツ１の前身頃の右半部（向って左半部）には閉鎖された袋部Ｂが形成されている。この袋部Ｂは、パンツ１の布地と同材料のカバー体２を前身頃のパンツ外表面１ａに止着することによって形成されている。すなわち、カバー体２は、後述するストーマ装具のパウチの外形と略等しい茄子形に布地を裁断したもので、その一方の側縁２１がパンツ外表面１ａに縫着されている。また、カバー体２の上縁２２、他方の側縁２３および下縁２４には連続するファスナー３がパンツ外表面１ａとの間に設けられて、これら上縁２２、側縁２３および下縁２４がファスナー３によってパンツ外表面１ａに結合されている。
【００１２】
ファスナー３の開閉子３１を下縁２４から側縁２３、上縁２２へと移動させると、この順でパンツ外表面１ａとの結合が順次解消されて、下縁２４、側縁２３、上縁２２が外表面１ａから離脱可能となる。開閉子３１を上縁端部２２１まで移動させて、下縁２４、側縁２３、上縁２２をパンツ外表面１ａから離脱させ、カバー体２を開いた状態を図２に示す。
【００１３】
図２において、パンツ外表面１ａのうちの、カバー体３で覆われる領域１１ａの上半部には円形開口１２が設けられており、その内径は後述するストーマ装具の皮膚接着部（より正確にはその円形突出部）の外径と略等しくしてある。開口１２は周縁下端の一部が下方へ切り裂いてあり、この切裂き１３を跨ぐように連結布片４が設けられて、その一端４１は切裂き１３を境に一方のパンツ外表面１ａに縫着され、他端４２は切裂き１３を境に他方のパンツ外表面１ａに面ファスナ４３によって着脱可能に結合されている。
【００１４】
図３には上記パンツ１により保持される尿貯留用ストーマ装具の一例を示す。図３に示すストーマ装具５はいわゆるワンピースタイプのもので、略茄子形の密閉袋状パウチ５１と、パウチ５１の後壁上部に取り付けられた円形の皮膚接着部５２を備えている。皮膚接着部５２には中心に円形開口５３が設けられてパウチ５１内に連通している。また、パウチ５１の下端部中央には、止め栓５４１を付設した排出チューブ５４が突設されている。
【００１５】
このような構造のオストメイト用パンツ１を使用する場合には、予めパンツ１のカバー体２を開く（図２の状態）とともに、連結布片４の他端４２は面ファスナ４３による結合を解消してパンツ外表面１ａから離脱させておく。身体のストーマにストーマ装具５の皮膚接着部５２を接着した状態でパンツ１を穿き、開口１２からパンツ１外へパウチ５１を引き出す。この時、開口１２は切裂き１３によって大きく開放されるからパウチ５１の引き出しを速やかに行うことができる。
【００１６】
パウチ５１を引き出した後は連結布片４の他端４２をパンツ外表面１ａに結合して、切裂き１３が開かないように規制する。開口１２はその内径がほぼ皮膚接着部（より正確にはその円形突出部）５２の外径に等しいから、開口１２内に位置させた皮膚接着部５２の外周には、殆ど隙を生じることなくパンツ１の布地が接する。これにより、身体に直接触れるのは皮膚保護剤が塗布された皮膚接着部５２とパンツ素材のみになり、パウチ５１が触れることはないから、身体の皮膚に炎症等を生じることはない。
【００１７】
その後、ファスナー３の開閉子３１をカバー体２の上縁２２から側縁２３を経て下縁２４の端部２４１へ移動させて、カバー体２をパンツ外表面１ａに止着して閉鎖状態とする（図１）。この過程で、パウチ５１は、これとほぼ同形の、閉鎖されたカバー体２によって形成された袋部Ｂ内に収容され、外部から遮蔽される。このように、パウチ５１がパンツ１外へ露出しないから見栄えが良い。
【００１８】
パウチ５１内に溜まった尿を排出する場合には、カバー体２の下縁２４でファスナー３の開閉子３１を適当範囲で移動させて、カバー体下縁２４の必要部のみをパンツ外表面１ａから離脱させて開き、ここからパウチ５１の排出チューブ５４を引き出して、その止め栓５４１（図３）を抜いて尿を排出させる。このように、尿の排出を、パウチ５１全体を引き出すことなく簡易に行うことができる。就寝時に、パウチ５１の排出チューブ５４を就寝用蓄尿袋のホース（図示略）と接続する場合にも、カバー体２の下縁２４でファスナー３の開閉子３１を適当範囲で移動させてカバー体下縁２４の必要部のみをパンツ外表面１ａから離脱させて開き、ここからパウチ５１の排出チューブ５４を引き出してその止め栓５４１を抜いて蓄尿袋のホースと容易に接続することができる。
【００１９】
上記実施形態ではパンツ１の前身頃の右半部に袋部Ｂを形成した例について説明したが、前身頃の左半部に形成し、あるいは前身頃の左右半部それぞれに形成するようにしても良い。また、パンツ１の布地が伸縮性のあるものである場合には、開口１２を比較的容易に押し拡げることができるから、切裂き１３は特に形成する必要がない。ファスナ３に代えて面ファスナやボタン等を使用しても良い。
【００２０】
（第２実施形態）
図４に示すオストメイト用パンツ１では、円形開口１２を覆うカバー体２はその上縁２２がパンツ外表面１に縫着され、両側縁２１，２３と下縁２４は連続するファスナー３によってパンツ外表面１ａに結合されている。上記円形開口１２の内径はストーマ装具５の皮膚接着部（より正確にはその円形突出部）５２の外径よりもやや大きくしてある。
【００２１】
このような構造のオストメイト用パンツ１を使用する場合には、身体のストーマにストーマ装具５（図３）の皮膚接着部５２を接着した状態でパンツ１を穿き、開口１２からパンツ１外へパウチ５１を引き出す。この際、開口１２は皮膚接着部５２よりやや大きくしてあるとともに、ファスナー３の開閉子３１を一方の側縁２１から下縁２４を経て他方の側縁２３へ移動させることにより、図５に示すようにカバー体２をその上縁２２を境にして大きく上方へ開放させることができるから、パウチ５１の引き出しを速やかに行うことができる。パウチ５１を引き出した後はファスナー３の開閉子３１をカバー体２の側縁２３から下縁２４を経て側縁２１へ移動させて、カバー体２をパンツ外表面１ａに止着して閉鎖状態とする（図４）。
【００２２】
パウチ５１内に溜まった尿を排出する場合には、カバー体２の側縁２１に沿ってファスナー３の開閉子３１を閉鎖位置（図４）から適当量下方へ移動させて、カバー体側縁２１の必要部のみをパンツ外表面１ａから離脱させて開き、ここからパウチ５１の排出チューブ５４を引き出して、その止め栓５４１（図３）を抜いて尿を排出させる。このように、尿の排出を、パウチ５１全体を引き出すことなく簡易に行うことができる。パウチ５１内に溜まった便を排出する場合には、図６に示すように上縁２２を境にして上方へ開放したカバー体２の先端部２５をパンツ１のゴム帯１３に挟み込むようにすれば、カバー体２が確実に係止されるから、便の排出処理をスムーズに行うことができる。なお図６は便排出用の身体ストーマを上記各図とは反対位置に設けた場合を示している。また、図７に示すように、カバー体２の側縁２１を、ファスナー３によって開閉することなく、常時開放した構造としても良い。
【００２３】
なお、本発明は下着用パンツ以外に、水泳パンツやサポータ等の身体着に適用することができる。また、本発明は、パウチ５１と皮膚接着部５２が分離可能なツーピースタイプのものにも適用できることはもちろんである。
【００２４】
【発明の効果】
以上のように、本発明のオストメイト用身体着は、見栄えが良く、パウチからの尿の排出も簡易で、かつ身体の皮膚が炎症等を起こすおそれもない。
【図面の簡単な説明】
【図１】本発明の第１実施形態を示すカバー体を閉じた状態での身体着たるパンツの正面図である。
【図２】本発明の第１実施形態を示すカバー体を開いた状態での身体着たるパンツの正面図である。
【図３】ストーマ装具の正面図である。
【図４】本発明の第２実施形態を示すカバー体を閉じた状態での身体着たるパンツの正面図である。
【図５】本発明の第２実施形態を示すカバー体を開いた状態での身体着たるパンツの正面図である。
【図６】本発明の第２実施形態を示すカバー体を開いた状態での身体着たるパンツの正面図である。
【図７】本発明の他の実施形態を示すカバー体を閉じた状態での身体着たるパンツの正面図である。
【図８】従来のパンツの正面図である。
【図９】ストーマ装具を保持した状態での従来のパンツの正面図である。
【符号の説明】
１…パンツ、１ａ…外表面、１２…開口、２…カバー体、２２…上縁、２３…側縁、２４…下縁、５…ストーマ装具、５１…パウチ、５２…皮膚接着部、Ｂ…袋部。
【図１】
2004000437.tif 000003
【図２】
2004000437.tif 000004
【図３】
2004000437.tif 000005
【図４】
2004000437.tif 000006
【図５】
2004000437.tif 000007
【図６】
2004000437.tif 000008
【図７】
2004000437.tif 000009
【図８】
2004000437.tif 000010
【図９】
2004000437.tif 000011